(57)【要約】【課題】  再生するメディアを選択するときの操作性を向上させる。【解決手段】  メディアを再生する複数のメディア再生装置３を有し、車室のフロント側およびリア側のそれぞれで同一のメディア或いは異なるメディアを再生する車載用音響映像システム１において、オーディオマイコン１１は、前記フロント側または前記リア側の一方で所定のメディアの再生が選択されているときに、当該所定のメディアに応じて他方で選択可能なメディアを制限し、この制限を解除して前記フロント側または前記リア側の一方で全てのメディアを対象にしたメディア選択を可能にする場合には、他方でのメディアの再生動作をオフ状態にする構成とした。【選択図】      図４
2007018618.tif 000002
【特許請求の範囲】
【請求項１】
メディアを再生する複数のメディア再生装置を有し、車室のフロント側およびリア側のそれぞれで同一のメディア或いは異なるメディアを再生する車載用音響映像システムにおいて、
前記フロント側または前記リア側の一方で所定のメディアの再生が選択されているときに、当該所定のメディアに応じて他方で選択可能なメディアを制限する選択制限手段と、
前記選択制限手段による制限を解除して前記フロント側または前記リア側の一方で全てのメディアを対象にしたメディア選択を可能にするとともに、他方でのメディアの再生動作をオフ状態にする制御手段と
を具備することを特徴とする車載用音響映像システム。
【請求項２】
前記選択制限手段は、前記フロント側または前記リア側の一方で選択されている所定のメディアと同時に再生が行われた場合に、当該再生に支障をきたすメディアの再生が他方で選択されることを禁止する
ことを特徴とする請求項１に記載の車載用音響映像システム。
【請求項３】
前記複数のメディア再生装置は、種類の異なるメディアを排他的に再生可能な多種メディア再生装置を少なくとも１つ以上含み、
前記選択制限手段は、前記フロント側または前記リア側の一方で前記多種メディア再生装置が再生可能ないずれかのメディアの再生が選択されているときに、当該多種メディア再生装置が再生可能なメディアのうち、前記一方で選択されたメディア以外のメディアの再生が他方で選択されることを禁止する
ことを特徴とする請求項１または２に記載の車載用音響映像システム。
【請求項４】
前記フロント側または前記リア側の一方で全てのメディアを対象にしたメディア選択が可能になされた場合に、他方で既に選択されているメディアを特定のメディアに変更するメディア変更手段
を具備することを特徴とする請求項１乃至３のいずれかに記載の車載用音響映像システム。
【請求項５】
メディアを再生する複数のメディア再生装置からの再生信号に基づいて、車室のフロント側およびリア側のそれぞれで同一のメディア或いは異なるメディアを再生する車載用音響映像装置において、
前記フロント側または前記リア側の一方で所定のメディアの再生が選択されているときに、当該所定のメディアに応じて他方で選択可能なメディアを制限する選択制限手段と、
前記選択制限手段による制限を解除して前記フロント側または前記リア側の一方で全てのメディアを対象にしたメディア選択を可能にするとともに、他方でのメディアの再生動作をオフ状態にする制御手段と
を具備することを特徴とする車載用音響映像装置。
【請求項６】
メディアを再生する複数のメディア再生装置からの再生信号に基づいて、車室のフロント側およびリア側のそれぞれで同一のメディア或いは異なるメディアを再生する車載用音響映像装置の制御方法において、
前記フロント側または前記リア側の一方で所定のメディアの再生が選択されているときに、当該所定のメディアに応じて他方で選択可能なメディアを制限し、
前記制限を解除して前記フロント側または前記リア側の一方で全てのメディアを対象にしたメディア選択を可能にする場合には、他方でのメディアの再生動作をオフ状態にする
ことを特徴とする車載用音響映像装置の制御方法。
【請求項７】
メディアを再生する複数のメディア再生装置からの再生信号に基づいて、車室のフロント側およびリア側のそれぞれで同一のメディア或いは異なるメディアを再生する車載用音響映像装置の制御プログラムにおいて、
前記車載用音響映像装置を、
前記フロント側または前記リア側の一方で所定のメディアの再生が選択されているときに、当該所定のメディアに応じて他方で選択可能なメディアを制限する選択制限手段、および、
前記選択制限手段の制限を解除して前記フロント側または前記リア側の一方で全てのメディアを対象にしたメディア選択を可能にするとともに、他方でのメディアの再生動作をオフ状態にする制御手段
として機能させるための制御プログラム。
【発明の詳細な説明】
【技術分野】
【０００１】
本発明は、車輌に搭載される車載用音響映像システム、車載用音響映像装置、その制御方法、および、制御プログラムに関する。
【背景技術】
【０００２】
従来から、車室内に設置された複数のメディア再生装置を有し、車室のフロント側および車室のリア側のそれぞれでメディアを選択し、フロント側およびリア側のそれぞれで同じメディア或いは異なるメディアを再生可能にしたシステムが知られている（例えば、特許文献１参照）。このようなシステムでは、フロント側およびリア側のそれぞれが選択できるメディアの組み合わせに制限が設けられている場合がある。具体的には、フロント側およびリア側のそれぞれで選択されたメディアを同時に再生した際にノイズが発生する組み合わせや、また例えばメディア再生装置が、例えばＣＤおよびＤＶＤのいずれかを再生するＤＶＤ／ＣＤ再生装置である場合に、フロント側およびリア側でＣＤおよびＤＶＤを同時に選択する組み合わせなどである。
【特許文献１】特開２００３−８９３３０号公報
【発明の開示】
【発明が解決しようとする課題】
【０００３】
しかしながら、フロント側およびリア側のそれぞれが選択できるメディアの組み合わせに制限が設けられていると、フロント側またはリア側の一方でメディアを選択する際に、選択可能なメディアが他方で選択されているメディアに応じて制限されて所望のメディアを選択できない場合がある。この場合には、他方で選択されているメディアを変更した後でなければ所望のメディアを選択できず、再生するメディアを選択する時の操作性が悪いといった問題があった。
【０００４】
本発明は、上述した事情に鑑みてなされたものであり、再生するメディアを選択するときの操作性を向上させることのできる車載用音響映像システム、車載用音響映像装置、車載用音響映像装置の制御方法および車載用音響映像装置の制御プログラムを提供することを目的とする。
【課題を解決するための手段】
【０００５】
上記目的を達成するために、本発明は、メディアを再生する複数のメディア再生装置を有し、車室のフロント側およびリア側のそれぞれで同一のメディア或いは異なるメディアを再生する車載用音響映像システムにおいて、前記フロント側または前記リア側の一方で所定のメディアの再生が選択されているときに、当該所定のメディア応じて他方で選択可能なメディアを制限する選択制限手段と、前記選択制限手段による制限を解除して前記フロント側または前記リア側の一方で全てのメディアを対象にしたメディア選択を可能にするとともに、他方でのメディアの再生動作をオフ状態にする制御手段とを具備することを特徴とする。
なお、この発明において、メディア再生装置は、例えばＤＶＤやＣＤなどの光ディスクを再生する光ディスク再生装置や、ＴＶを受信するＴＶ受信機、ラジオを受信するラジオ受信機、ハードディスクドライブに格納されたデジタル音楽データや映像データを再生するハードディスクプレーヤ、ＭＤやメモリカード、メモリスティックなどの半導体メモリに格納されたデジタル音楽データや映像データを再生する半導体メモリ再生装置などを含むものである。
【０００６】
また本発明は、上記発明において、前記選択制限手段は、前記フロント側または前記リア側の一方で選択されている所定のメディアと同時に再生が行われた場合に、当該再生に支障をきたすメディアの再生が他方で選択されることを禁止することを特徴とする。
なお、この発明において、再生の支障には、例えば、同時再生が行われた際に、回路の共振などにより再生音にノイズが発生する恐れのある場合などが含まれる。
【０００７】
また本発明は、上記発明において、前記複数のメディア再生装置は、種類の異なるメディアを排他的に再生可能な多種メディア再生装置を少なくとも１つ以上含み、前記選択制限手段は、前記フロント側または前記リア側の一方で前記多種メディア再生装置が再生可能ないずれかのメディアの再生が選択されているときに、当該多種メディア再生装置が再生可能なメディアのうち、前記一方で選択されたメディア以外のメディアの再生が他方で選択されることを禁止することを特徴とする。
なお、この発明において、多種メディア再生装置は、例えば、ＤＶＤおよびＣＤのいずれかを排他的に再生するＤＶＤ／ＣＤ再生装置や、ＴＶチューナおよびラジオチューナを備えＴＶおよびラジオのいずれかを排他的に再生するＴＶ受信機などが含まれる。
【０００８】
また本発明は、上記発明において、前記フロント側または前記リア側の一方で全てのメディアを対象にしたメディア選択が可能になされた場合に、他方で既に選択されているメディアを特定のメディアに変更するメディア変更手段を具備することを特徴とする。
【０００９】
また上記目的を達成するために、本発明は、メディアを再生する複数のメディア再生装置からの再生信号に基づいて、車室のフロント側およびリア側のそれぞれで同一のメディア或いは異なるメディアを再生する車載用音響映像装置において、前記フロント側または前記リア側の一方で所定のメディアの再生が選択されているときに、当該所定のメディアに応じて他方で選択可能なメディアを制限する選択制限手段と、前記選択制限手段による制限を解除して前記フロント側または前記リア側の一方で全てのメディアを対象にしたメディア選択を可能にするとともに、他方でのメディアの再生動作をオフ状態にする制御手段とを具備することを特徴とする。
【００１０】
また上記目的を達成するために、本発明は、メディアを再生する複数のメディア再生装置からの再生信号に基づいて、車室のフロント側およびリア側のそれぞれで同一のメディア或いは異なるメディアを再生する車載用音響映像装置の制御方法において、前記フロント側または前記リア側の一方で所定のメディアの再生が選択されているときに、当該所定のメディアに応じて他方で選択可能なメディアを制限し、前記制限を解除して前記フロント側または前記リア側の一方で全てのメディアを対象にしたメディア選択を可能にする場合には、他方でのメディアの再生動作をオフ状態にすることを特徴とする。
【００１１】
また上記目的を達成するために、本発明は、メディアを再生する複数のメディア再生装置からの再生信号に基づいて、車室のフロント側およびリア側のそれぞれで同一のメディア或いは異なるメディアを再生する車載用音響映像装置の制御プログラムにおいて、前記車載用音響映像装置を、前記フロント側または前記リア側の一方で所定のメディアの再生が選択されているときに、当該所定のメディアに応じて他方で選択可能なメディアを制限する選択制限手段、および、前記選択制限手段の制限を解除して前記フロント側または前記リア側の一方で全てのメディアを対象にしたメディア選択を可能にするとともに、他方でのメディアの再生動作をオフ状態にする制御手段として機能させることを特徴とする。
なお、上記制御プログラムは、例えば磁気ディスクや光ディスク、光磁気ディスクなどの記録媒体に記録することで、或いは、電気通信回線を介して送信することで、販売や提供などの実施をすることができる。
【発明の効果】
【００１２】
本発明によれば、フロント側またはリア側の一方で所定のメディアの再生が選択されているときに、当該所定のメディアに応じて他方で選択可能なメディアを制限し、この制限を解除して前記フロント側または前記リア側の一方で全てのメディアを対象にしたメディア選択を可能にする場合には、他方でのメディアの再生動作をオフ状態にするようにしたため、メディア選択時の制限がなくなり操作性を向上させることができる。また、選択を制限すべきメディアの組み合わせが選択された場合であっても、他方でのメディアの再生動作がオフ状態になされているため、一方でのメディアの再生に支障をきたす恐れがない。
【発明を実施するための最良の形態】
【００１３】
以下、図面を参照しつつ本発明の実施の形態について説明する。
図１は、本実施の形態に係る車載用音響映像システム１（以下、単に「音響映像システム１」と言う）の機能的構成を示すブロック図である。音響映像システム１は、車室の前席（フロント）側のメインゾーンおよび後席（リア）側のサブゾーンとで同じメディアまたは異なるメディアを再生する２ゾーン機能を有するものであり、本実施の形態では、ＤＶＤ、ＴＶおよびＶＴＲをメディアとして、サブゾーンとメインゾーンとで同じメディアまたは異なるメディアを選択して、それぞれの映像および音声を視聴可能としている。
【００１４】
音響映像システム１の構成について詳述すると、図１に示すように、音響映像システム１は、メインゾーンおよびサブゾーンのそれぞれでメディアを再生する車載用音響映像装置２（以下、単に「音響映像装置２」と言う）と、この音響映像装置２に配線接続された複数のメディア再生装置３と、車室の後部座席側に配置されて音響映像装置２に配線接続されたリアモニタ４とを備えて構成され、さらに、上記音響映像装置２は、フロントモニタ１０と、オーディオマイコン１１と、映像系信号出力部１２Ａと、音声系信号出力部１２Ｂと、映像信号切替ユニット１３と、音声信号切替ユニット１４と、電子ボリューム回路１５と、アンプ１６とを備えて構成されている。
【００１５】
フロントモニタ１０は、車室の前部、例えばインストルメントパネルに取り付けられて、操作メニューなどの各種情報を表示するモニタ装置である。フロントモニタ１０のモニタ部分にはタッチパネル１０Ａが配設されると共に、モニタ部分周辺には複数のボタン操作子が配設されて当該フロントモニタ１０が音響映像装置２の操作部１０Ｂとしても機能し、このフロントモニタ１０に対する操作がオーディオマイコン１１に出力されるようになっている。
【００１６】
オーディオマイコン１１は、音響映像装置２の各部の制御や各種演算処理を実行するものであり、ＲＯＭ等のメモリ１１Ａを内蔵し、当該メモリ１１Ａに格納された制御プログラムに基づいて動作する。
映像系信号出力部１２Ａは、複数のメディア再生装置３のそれぞれから出力される映像信号を映像信号切替ユニット１３に出力するものであり、音声系信号出力部１２Ｂは、複数のメディア再生装置３のそれぞれから出力される音声信号を音声信号切替ユニット１４に出力するものである。
【００１７】
ここで、本実施の形態では、メディア再生装置３として、ＴＶ受信機３Ａ、ＤＶＤ／ＣＤ再生装置３Ｂ、メモリスティックに格納されたデジタル音楽データを再生するメモリスティック再生装置（Ｍ．ＳＴＩＣＫ）３Ｃ、ハードディスクドライブに格納されたデジタル音楽データを再生するＨＤＤオーディオ再生装置（Ｍ．ＣＡＴＣＨＥＲ）３Ｄ、ＭＤ（ミニディスク）に格納されたデジタル音楽データを再生するＭＤ再生装置３Ｅ、および、カセットテープ等に録音された音声を再生するアナログ再生装置３Ｆが設けられている。そして、これらのメディア再生装置３のうち、ＴＶ受信機３Ａ、および、ＤＶＤ／ＣＤ再生装置３Ｂが映像を再生する装置として用いられ、ＴＶ受信機３ＡおよびＤＶＤ／ＣＤ再生装置３Ｂのそれぞれから映像信号が映像系信号出力部１２Ａに出力され、また、音声信号が音声系信号出力部１２Ｂに出力される。
【００１８】
また、本実施の形態では、上記ＴＶ受信機３Ａは、ＴＶ受信機能の他に、ＶＴＲ再生機能、および、ＡＭ／ＦＭラジオ受信機能を備え、ＴＶ、ＡＭ／ＦＭラジオおよびＶＴＲといった複数のメディアを排他的に再生する多種メディア再生装置として構成されている。
さらに、ＤＶＤ／ＣＤ再生装置３Ｂも、ＤＶＤとＣＤといった異なる複数のメディアのいずれかを排他的に再生する多種メディア再生装置として構成されている。
【００１９】
上述した映像信号切替ユニット１３は、フロントモニタ１０およびリアモニタ４に出力する映像信号をオーディオマイコン１１の制御信号に基づいて、ＴＶ映像信号や、ＶＴＲ映像信号、ＤＶＤ映像信号などの映像信号の間で切り替えるものである。
具体的には、映像信号切替ユニット１３は、フロント側映像切替回路２０Ａおよびリア側映像切替回路２０Ｂと、フロント側映像選択回路２１Ａおよびリア側映像選択回路２１Ｂとを備えている。
フロント側映像切替回路２０Ａおよびリア側映像切替回路２０Ｂは、ＴＶ映像信号、ＶＴＲ映像信号およびＤＶＤ映像信号のそれぞれが映像系信号出力部１２Ａから供給され、オーディオマイコン１１から出力された制御信号に基づいて、いずれかの映像信号を後段の回路に出力するものである。
【００２０】
フロント側映像選択回路２１Ａは、フロント側映像切替回路２０Ａの後段に設けられ、当該フロント側映像切替回路２０Ａからの映像信号と共に、車外状況（例えば車輌後方や側方等）を撮像した図示せぬＣＣＤカメラからのＣＣＤ映像信号が供給されており、オーディオマイコン１１の制御信号に基づいて、いずれかの映像信号を選択してフロントモニタ１０に出力するものである。
一方、リア側映像選択回路２１Ｂは、リア側映像切替回路２０Ｂの後段に設けられ、当該リア側映像切替回路２０Ｂからの映像信号と共に、図示せぬカーナビゲーション装置から入力されたＮＡＶＩ映像が供給されており、オーディオマイコン１１の制御信号に基づいて、いずれかの映像信号を選択してリアモニタ４に出力するものである。
【００２１】
すなわち、フロントモニタ１０に映し出される映像は、フロント側映像切替回路２０Ａおよびフロント側映像選択回路２１Ａの切替・選択状態に応じてＴＶ映像、ＶＴＲ映像、ＤＶＤ映像、および、ＣＣＤ映像のいずれかに決定され、また、リアモニタ４に映し出される映像は、リア側映像切替回路２０Ｂおよびリア側映像選択回路２１Ｂの切替・選択状態に応じてＴＶ映像、ＶＴＲ映像、ＤＶＤ映像、および、ＮＡＶＩ映像のいずれかに決定される。
【００２２】
なお、音響映像装置２がパワーオフ状態である場合は、上記映像系信号出力部１２Ａおよび音声系信号出力部１２Ｂが停止状態となり、フロントモニタ１０およびリアモニタ４へのＴＶ映像、ＶＴＲ映像およびＤＶＤ映像の出力は停止されるものの、ＣＣＤ映像入力およびＮＡＶＩ映像入力は継続可能に構成されている。したがって、音響映像装置２の電源が遮断されている場合であっても、ＣＣＤ映像をフロントモニタ１０に映し出したり、或いは、ＮＡＶＩ映像をリアモニタ４に映し出すことが可能になされている。
【００２３】
上述した音声信号切替ユニット１４は、オーディオマイコン１１からの制御信号に基づいて、音声系信号出力部１２Ｂから出力されるＴＶ音声信号、ＶＴＲ音声信号、および、ＤＶＤ音声信号のいずれかを選択して電子ボリューム回路１５に出力するものであり、第１および第２切替回路１４Ａ、１４Ｂを備えている。第１切替回路１４Ａは、ＴＶ音声信号およびＶＴＲ音声信号が入力され、オーディオマイコン１１からの制御信号に基づいて、いずれか一方の音声信号を第２切替回路１４Ｂに出力するものであり、第２切替回路１４Ｂは、第１切替回路１４Ａからの音声信号およびＤＶＤ音声信号が入力されて、オーディオマイコン１１からの制御信号に基づいて、いずれか一方の音声信号を電子ボリューム回路１５に出力するものである。
【００２４】
電子ボリューム回路１５は、音声信号切替ユニット１４から出力された音声信号のゲインを調整し、さらには、デジタル音声信号が入力された場合には、アナログ音声信号に変換してアンプ１６に出力するものであり、アンプ１６は、電子ボリューム回路１５から入力されたアナログ音声信号を、オーディオマイコン１１により指示された増幅率で増幅してリアモニタ４に出力するものである。
【００２５】
リアモニタ４には、図示せぬスピーカが内蔵されており、アンプ１６から出力された音声信号はリアモニタ４のスピーカから後部座席に向けて発せられることになる。また、リアモニタ４のモニタ部分周辺にはコネクタ４Ａが設けられており、このコネクタ４Ａにヘッドフォンを接続して音声を楽しむことが可能になっている。さらに、オーディオマイコン１１からアンプ１６に対して増幅率を略ゼロにする指示信号を出力することで、後部座席側の音声出力をオフ（ミュート）することが可能になっている。
なお、図１では、フロント側への音声出力回路の図示を省略しているが、音響映像装置２には、各音響映像再生装置３Ａ〜３Ｆから供給された音声信号をオーディオマイコン１１に基づいて切替・選択して出力するフロント側の音声信号切替ユニットと、この音声信号切替ユニットから音声信号が供給される電子ボリューム回路と、この電子ボリューム回路から音声信号が供給されるアンプとが内蔵されており、アンプから出力された音声信号が車室のフロント側に配設されたスピーカに出力されてフロント側に音声が出力されるようになっている。
【００２６】
上記のように構成された音響映像システム１にあっては、フロントモニタ１０に表示されたメディア選択メニュー５０を操作することで、メインゾーン（フロント側）およびサブゾーン（リア側）のそれぞれで再生するメディアを選択するようになっている。
【００２７】
図２は、メディア選択メニュー５０を模式的に示す図である。この図に示すように、メディア選択メニュー５０は画面が上下に分割されて、上側の領域５０Ａにメインゾーン（フロント側）にて選択するための複数のメディア選択ボタン５１が表示されており、下側の領域５１Ｂにはサブゾーン（リア側）にて選択するための複数のメディア選択ボタン５２が表示されている。また、このメディア選択メニュー５０には、２ゾーン機能の有効／無効を指示するための「２−ＺＯＮＥ」ボタン５３が設けられている。この「２−ＺＯＮＥ」ボタン５３をタッチ操作して２ゾーン機能を有効化すると、当該「２−ＺＯＮＥ」ボタン５３が点灯して、２ゾーン機能が有効化になっている旨を報知する。また、サブゾーンのメディア選択ボタン５２は、２ゾーン機能の有効化に伴って操作可能になる。
【００２８】
メインゾーンのメディア選択ボタン５１としては、ＦＭ／ＡＭ選択ボタン５１Ａ、ＤＶＤ／ＣＤ選択ボタン５１Ｂ、ＭＤ選択ボタン５１Ｃ、Ｍ．ＣＡＴＣＨＥＲ選択ボタン５１Ｄ、Ｍ．ＳＴＩＣＫ選択ボタン５１Ｅ、ＴＶ選択ボタン５１ＦおよびＡＮＡＬＯＧ選択ボタン５１Ｇが設けられており、いずれかのメディア選択ボタン５１がタッチ操作されると、そのメディア選択ボタン５１に対応したメディアを再生するメディア再生装置３にオーディオマイコン１１から再生指示が送られてメインゾーンでメディアの再生が行われる。このとき、ＤＶＤ／ＣＤ選択ボタン５１ＢまたはＴＶ選択ボタン５１Ｆがタッチ操作された場合には、ＤＶＤ映像、ＴＶ映像またはＶＴＲ映像がフロントモニタ１０に映し出されることとなる。
【００２９】
一方、サブゾーンのメディア選択ボタン５２としては、ＴＶ／ＶＴＲ選択ボタン５２ＡおよびＤＶＤ選択ボタン５２Ｂが設けられており、「２−ＺＯＮＥ」ボタン５３をタッチ操作して２ゾーン機能を有効化した状態で、いずれかのメディア選択ボタン５２Ａ、５２Ｂをタッチ操作することで、そのメディア選択ボタン５２Ａ、５２Ｂに応じてオーディオマイコン１１が映像信号切替ユニット１３および音声信号切替ユニット１４を制御するとともに、ＴＶ受信機３ＡまたはＤＶＤ／ＣＤ再生装置３Ｂに再生指示を送り、これにより、選択されたメディアがサブゾーンで再生される。
【００３０】
ここで、図３に示すように、本実施の形態では、メインゾーンとサブゾーンとで同時に選択できないメディアの組み合わせがオーディオマイコン１１のメモリ１１Ａに予め格納されており、メディア選択の際には、オーディオマイコン１１が、かかる組み合わせのメディア選択を禁止するようになっている。
詳述すると、本実施の形態では、ＴＶ受信機３ＡがＴＶ受信、ラジオ受信およびＶＴＲ再生のそれぞれを排他的に行い、また、ＤＶＤ／ＣＤ再生装置３ＢがＤＶＤおよびＣＤの再生を排他的に行うため、オーディオマイコン１１は、メインゾーンとサブゾーンとでＴＶ受信、ラジオ受信およびＶＴＲ再生のうちの２つを同時に選択する組み合わせ、および、ＤＶＤおよびＣＤを同時に選択する組み合わせを禁止する。
【００３１】
したがって、２ゾーン機能が有効になっている場合、ユーザがメインゾーンで上記ＴＶ受信機３ＡのＴＶ、ＦＭ／ＡＭラジオ、または、ＶＴＲのいずれかのメディアを選択したときには、オーディオマイコン１１は、サブゾーン（リア側）で、ＴＶおよびＶＴＲのメディアのうちメインゾーンで選択されているメディア以外のものが選択されるのを禁止すべく、そのメディアに対応するメディア選択ボタン５２の操作を無効にする。このとき、メインゾーンでＦＭ／ＡＭラジオが選択されている場合には、サブゾーンではＴＶおよびＶＴＲの選択はいずれも禁止される。
【００３２】
また、同様に、ユーザがメインゾーンでＤＶＤ／ＣＤ再生装置３のＣＤをメディアとして選択したときには、オーディオマイコン１１は、サブゾーン（リア側）で、ＤＶＤがメディアとして選択されるのを禁止すべく、ＤＶＤ選択ボタン５２Ｂの操作を無効にする。
さらに、２ゾーン機能が有効になっており、かつ、メインゾーンおよびサブゾーンのそれぞれでメディアが既に選択されているときに、メインゾーンのメディアを選択し直す場合であっても、オーディオマイコン１１は、サブゾーンで選択されているメディアに応じてメインゾーンで選択可能なメディアを制限することになる。
【００３３】
さて、本実施の形態では、上記フロントモニタ１０の操作部１０Ｂにはパワーオフボタンが設けられており、当該パワーオフボタンが操作されると、音響映像装置２のオーディオマイコン１１は、メインゾーンおよびサブゾーンへの各メディア再生装置３の出力をオフ状態にするパワーオフ状態に移行するように構成されている。
また、このパワーオフ状態において、メディア選択メニュー５０がフロントモニタ１０に表示された場合には、オーディオマイコン１１は、メインゾーンとサブゾーンとで特定のメディアの組み合わせが選択されることを禁止するための処理はせずに、サブゾーンで選択されているメディアにかかわらず、メインゾーンで全てのメディアを対象として任意のメディアを選択可能にしている。これにより、サブゾーンで選択されているメディアによってメインゾーンで選択可能なソースが制限されることがないため、音響映像装置２の使い勝手を向上させることができる。
【００３４】
ところで、メインゾーンで全てのメディアを選択可能にした場合、サブゾーンとメインゾーンとで選択されているメディアの組み合わせが禁止すべきメディアの組み合わせとなり、音響映像装置２がパワーオン状態に移行したときに、メディアの再生に支障をきたす恐れがある。
そこで、本実施の形態では、メインゾーンで全てのメディアを対象としてメディアの選択を可能にする場合には、オーディオマイコン１１は２ゾーン機能をオフ状態にすることで、サブゾーンでのメディアの再生動作をオフ状態にし、音響映像装置２がパワーオン状態になった場合であっても、サブゾーンで選択されているメディアの再生動作が開始されないようにしている。
【００３５】
具体的には、図４に示すように、オーディオマイコン１１は、パワーボタンが操作されて、音響映像装置２のパワーオフが指示された場合（ステップＳ１：ＹＥＳ）、各メディア再生装置３の出力をオフ状態にして、音響映像装置２をパワーオフ（ＰＯＷＥＲ  ＯＦＦ）状態にする（ステップＳ２）。次いで、オーディオマイコン１１は、２ゾーン機能をオフ状態（２ＺＯＮＥ  ＯＦＦ）にして（ステップＳ３）、サブゾーンで選択されているメディアの再生動作をオフ状態にし、音響映像装置２がパワーオン状態になったときに、サブゾーンで選択されているメディアの再生動作が開始されないようにする。
【００３６】
その後、メインゾーンのメディアを選択すべくユーザがフロントモニタ１０の操作部１０Ｂを操作した場合、オーディオマイコン１１は、メディア選択メニュー５０をフロントモニタ１０に表示する（ステップＳ４）。このとき、オーディオマイコン１１は、不都合の生じるメディアの組み合わせの選択を禁止するための処理を実行せずに、サブゾーンで選択されているメディアにかかわらず、メインゾーンで全てのメディアを選択可能にする（ステップＳ５）。
【００３７】
次いで、オーディオマイコン１１は、禁止されたメディアの組み合わせとなったまま、ユーザによって２ゾーン機能がオン状態とされることを防止すべく、サブゾーンで選択されているメディアを特定のメディアに変更する（ステップＳ６）。具体的には、本実施の形態では、サブゾーンで選択可能なメディアであるＤＶＤ、ＴＶ、および、ＶＴＲのうち、禁止となる組み合わせが最も少ない（望ましくは禁止となる組み合わせとならない）ＤＶＤに変更する。
【００３８】
以上説明したように、本実施の形態によれば、メインゾーン（フロント側）またはサブゾーン（リア側）の一方でＴＶ受信機３Ａが再生可能なＴＶ、ＦＭ／ＡＭおよびＶＴＲ、または、ＤＶＤ／ＣＤ再生装置３Ｂが再生可能なＤＶＤおよびＣＤのいずれかのメディアが選択されているときに、一方で選択されたメディア以外のメディアが他方で選択されることをオーディオマイコン１１が禁止するようにしているため、メインゾーンとサブゾーンとで選択されたメディアの組み合わせが原因でメディア再生に不都合を生じることが防止される。
【００３９】
特に、本実施の形態によれば、音響映像装置２がパワーオフの状態であるときに、オーディオマイコン１１が、メインゾーンで全てのメディアを対象にしたメディア選択を可能にするとともに、２ゾーン機能をオフ状態にしてサブゾーンでのメディアの再生動作をオフ状態にする構成としたため、メインゾーンで選択可能なメディアがサブゾーンで選択されているメディアによって制限されることがない。さらに、サブゾーンでのメディアの再生動作がオフ状態にされているため、音響映像装置２がパワーオン状態になったときに、メインゾーンとサブゾーンとで選択しているメディアの組み合わせが禁止すべき組み合わせになっている場合であっても、サブゾーンでメディアの再生動作が開始されることなく、メインゾーンでのメディアの再生に支障をきたすことがない。
【００４０】
また、本実施の形態によれば、メインゾーンで全てのメディアを対象にしたメディア選択が可能になされた場合には、オーディオマイコン１１がサブゾーンで既に選択されているメディアを特定のメディア（本実施の形態では、ＤＶＤ）に変更する構成としたため、禁止されたメディアの組み合わせとなったまま、ユーザによって２ゾーン機能がオン状態とされることが防止される。
【００４１】
また、本実施の形態によれば、オーディオマイコン１１が実行する制御プログラムを変更するだけで、本発明の主要たる各機能を実現することができる。
【００４２】
なお、上述した実施の形態は、あくまでも本発明の一態様を示すものであり、本発明の範囲内で任意に変形および応用が可能である。
例えば、上述した実施の形態では、音響映像装置２がパワーオフ状態となったときに、２ゾーン機能をオフ状態にして、サブゾーンで選択されているメディアの再生動作をオフ状態にしているが、これに限らず、パワーオフ状態となった後、メディア選択メニュー５０を表示するときまで、例えば、メインゾーンのメディアを選択する状態になったときに、２ゾーン機能をオフ状態とするようにしても良い。
【００４３】
また上述した実施の形態では、ＴＶ受信機３ＡおよびＤＶＤ／ＣＤ再生装置３Ｂといった多種メディア再生装置が再生可能なメディアの中から異なるメディアを、メインゾーンおよびサブゾーンで同時に選択される組み合わせを禁止するようにしたが、これに限らず、メインゾーンおよびサブゾーンで同時再生した場合に、回路の共振などにより再生映像或いは再生音にノイズが発生するようなメディアの組み合わせの同時選択を禁止するようにしても良い。
【００４４】
また上述した実施の形態では、メインゾーン（フロント側）で全メディアを対象としたメディア選択を可能にしたが、これに限らず、サブゾーン（リア側）で全メディアを対象としたメディア選択を可能にしても良い。
【図面の簡単な説明】
【００４５】
【図１】本発明の実施の形態に係る車載用音響映像システムの機能的構成を示す図である。
【図２】メディア選択メニューを示す図である。
【図３】選択を禁止すべきメディアの組み合わせを示す図である。
【図４】車載用音響映像装置の動作を示すフローチャートである。
【符号の説明】
【００４６】
１  車載用音響映像システム
２  車載用音響映像装置
３  メディア再生装置
３Ａ  ＴＶ受信機（多種メディア再生装置）
３Ｂ  ＤＶＤ／ＣＤ再生装置（多種メディア再生装置）
１０  フロントモニタ
１０Ａ  タッチパネル
１１  オーディオマイコン
５１、５２  メディア選択ボタン
【図１】
2007018618.tif 000003
【図２】
2007018618.tif 000004
【図３】
2007018618.tif 000005
【図４】
2007018618.tif 000006